(57)【要約】      （修正有）【課題】濾過される流体の流路が十分確保され圧力損失の少ないスピンオンフィルタを提供する。【解決手段】スピンオンフィルタ１において、エレメント組立体３が、ケース３０の底面とフィルタエレメント５０の下端面との間に圧縮コイルバネ６５を有し、エレメント組立体３がフィルタヘッド２から取り外されているときに、この圧縮コイルバネ６５によりフィルタエレメント５０の上端面がカバー部材３４に付勢して外周空間７１がこのカバー部材３４に形成された貫通空間３６と連通しないように構成する。そして、フィルタヘッド２にエレメント組立体３が取り付けられたときに、フィルタエレメント５０がフィルタヘッド２によりケース３０に対して下方に押し下げられてフィルタエレメント５０の上端面とカバー部材３４とが離合して外周空間７１と貫通空間３６に螺挿されたフィルタヘッド２の流入孔８とが連通するように構成する。【選択図】図３
2005254103.tif 000002
【特許請求の範囲】
【請求項１】
流入孔及び流出孔を有してなるフィルタヘッドと、上端部が開口し下端部が閉塞したほぼ円筒状のケース内にフィルタエレメントを内蔵してなり前記フィルタヘッドに螺合して取り付けられるエレメント組立体とからなるスピンオンフィルタであって、
前記フィルタヘッドの下面に下方に突出した２重円筒状の外側円筒部及び内側円筒部が設けられ、前記外側円筒部と前記内側円筒部との間に形成される外側通路及び前記内側円筒部内に形成される内側通路が、それぞれ前記流入孔及び前記流出孔の一方に連通し、
前記エレメント組立体が、前記ケースの底面と前記フィルタエレメントの下端面との間に弾性部材を有し、
前記エレメント組立体が前記フィルタヘッドから取り外されているときに、前記弾性部材により前記フィルタエレメントの上端面が前記ケースの開口部に付勢して前記フィルタエレメントの外周面と前記ケースの内周面との間に形成される外周空間が前記開口部と分離されるように構成され、
前記外側円筒部の外周面に形成された雄ネジ部と前記開口部に形成された雌ネジ部とを螺合させて、前記フィルタヘッドに前記エレメント組立体が取り付けられたときに、前記内側円筒部が前記フィルタエレメントの上端面に形成され前記フィルタエレメントの内周空間に連通する連通孔と嵌合して前記内側通路と前記内周空間とが連通するとともに、前記フィルタエレメントが前記内側円筒部により前記ケースに対して下方に押し下げられて前記フィルタエレメントの上端面と前記ケースの開口部とが離合して前記外周空間と前記開口部に螺挿された前記外側通路とが連通するように構成されたことを特徴とするスピンオンフィルタ。
【請求項２】
前記連通孔を囲んで前記連通孔よりも内径が小さいシール部材が前記フィルタエレメントの上端面に配設され、
前記エレメント組立体が前記フィルタヘッドに取り付けられたときに、前記シール部材が前記内側円筒部の外周面に当接して、前記内周空間と前記外周空間とを分離するように構成されたことを特徴とする請求項１に記載のスピンオンフィルタ。
【請求項３】
前記内側円筒部が、前記フィルタエレメントの前記連通孔に挿入される先端部と、前記先端部より径の大きい基端部とから構成され、
前記フィルタエレメントの上端面から上方に突出するとともに前記連通孔を囲んでシール部材が配設され、
前記エレメント組立体が前記フィルタヘッドに取り付けられたときに、前記シール部材が前記基端部の下面に当接して、前記内周空間と前記外周空間とを分離するように構成されたことを特徴とする請求項１に記載のスピンオンフィルタ。
【請求項４】
前記フィルタエレメントが、
内部空間が前記連通孔と連通して前記内周空間に突出し、側面にバルブ側開口が設けられた有底状のバルブケースと、
前記バルブケース内に上下に摺動自在に配設され、前記エレメント組立体が前記フィルタヘッドから取り外されているときに、第２弾性部材により前記連通孔に付勢されて前記連通孔を塞ぐ弁体とからなるバルブを有し、
前記内側円筒部の先端部の側面に前記エレメント組立体が前記フィルタヘッドに取り付けられたときに、前記バルブ側開口と位置整合するヘッド側開口が設けられ、
前記エレメント組立体が前記フィルタヘッドに取り付けられたときに、前記内側円筒部により前記弁体が下方に押し下げられて、前記バルブ側開口と前記ヘッド側開口とが連通して前記内側通路と前記内周空間とを連通するように構成されたことを特徴とする請求項１〜３のいずれかに記載のスピンオンフィルタ。
【請求項５】
前記外側通路及び前記内側通路に、所定の圧力がかかったときに開放される流入弁及び流出弁を設けたことを特徴とする請求項１〜４のいずれかに記載のスピンオンフィルタ。
【請求項６】
前記ケースが、上端部が開口し下端部が閉塞したほぼ円筒状のケース本体と、前記ケース本体に前記上端開口を覆って取り付けられるカバー部材とから構成され、
前記カバー部材には上下に貫通する貫通孔が形成されるとともに前記貫通孔に前記雌ネジ部が形成され、
前記エレメント組立体が前記フィルタヘッドから取り外されたときに、前記カバー部材の下端部に前記フィルタエレメントの上端部が付勢して前記外周空間と前記開口部とが分離されるように構成されたことを特徴する請求項１〜５のいずれかに記載のスピンオンフィルタ。
【発明の詳細な説明】
【技術分野】
【０００１】
本発明はオイル等の流体の濾過に用いられるフィルタに関し、特に詳細にはいわゆるスピンオンフィルタと称される使い切りタイプのフィルタに関する。
【背景技術】
【０００２】
スピンオンフィルタは、従来からエンジン用オイルフィルタ等として種々用いられている。この従来のスピンオンフィルタ（エレメント組立体）は、上端が開口し下端が閉塞した円筒状ケース内にフィルタエレメントを配設し、ケース開口に後述する複数個の孔が形成された円板状のカバー部材を接合したエレメント組立体を車体若しくはエンジン側に固定されたフィルタヘッドに着脱自在として交換可能なように構成されている（例えば、特許文献１参照）。
【０００３】
【特許文献１】特開平５−９６１０７号公報
【発明の開示】
【発明が解決しようとする課題】
【０００４】
エレメント組立体を構成するこのカバー部材には、濾過する流体（作動油等）の流路を設けるために、フィルタエレメントの内周空間に連通する内部連通孔と、フィルタエレメントの外周面とケースの内周面とから構成される外周空間に連通する外部連通孔とが形成されている。しかしながら、外部連通孔はカバー部材の周辺部に形成されるためその位置等の制約から径が小さくなる。そのため、このスピンオンフィルタで濾過する流体の圧力損失が大きくなるため、このスピンオンフィルタに作動油を流すためのオイルポンプもその出力を大きくする必要があるという課題があった。
【０００５】
本発明はこのような課題に鑑みなされたものであり、濾過される流体の流路が十分確保され圧力損失の少ないスピンオンフィルタを提供することを目的とする。
【課題を解決するための手段】
【０００６】
前記課題を解決するために、本発明に係るスピンオンフィルタは、流入孔及び流出孔を有してなるフィルタヘッドと、上端部が開口し下端部が閉塞したほぼ円筒状のケース内にフィルタエレメントを内蔵してなりフィルタヘッドに螺合して取り付けられるエレメント組立体とからなるものである。フィルタヘッドの下面には、下方に突出した２重円筒状の外側円筒部及び内側円筒部が設けられ、外側円筒部と内側円筒部との間に形成される外側通路及び内側円筒部内に形成される内側通路が、それぞれ流入孔及び流出孔の一方に連通する。また、エレメント組立体が、ケースの底面とフィルタエレメントの下端面との間に弾性部材（例えば、実施形態における圧縮コイルバネ６５）を有し、エレメント組立体がフィルタヘッドから取り外されているときに、弾性部材によりフィルタエレメントの上端面がケースの開口部（例えば、実施形態におけるカバー部材３４）に付勢してフィルタエレメントの外周面とケースの内周面との間に形成される外周空間が開口部と分離されるように構成される。そして、外側円筒部の外周面に形成された雄ネジ部と開口部に形成された雌ネジ部とを螺合させて、フィルタヘッドにエレメント組立体が取り付けられたときに、内側円筒部がフィルタエレメントの上端面に形成され、このフィルタエレメントの内周空間に連通する連通孔と嵌合して内側通路と内周空間とが連通するとともに、フィルタエレメントが内側円筒部によりケースに対して下方に押し下げられてフィルタエレメントの上端面とケースの開口部とが離合して外周空間と開口部に螺挿された外側通路とが連通するように構成される。
【０００７】
このとき、連通孔を囲んでこの連通孔よりも内径が小さいシール部材（例えば、実施形態における第２シールリング５５）がフィルタエレメントの上端面に配設され、エレメント組立体がフィルタヘッドに取り付けられたときに、シール部材が内側円筒部の外周面に当接して、内周空間と外周空間とを分離するように構成されることが好ましい。
【０００８】
あるいは、内側円筒部が、フィルタエレメントの連通孔に挿入される先端部と、この先端部より径の大きい基端部とから構成され、フィルタエレメントの上端面が上方に突出するとともに連通孔を囲むシール部材（例えば、実施形態における第２シールリング５５′）が配設され、エレメント組立体がフィルタヘッドに取り付けられたときに、シール部材が基端部の下面（例えば、実施形態におけるフィルタ係合部６ｃ）に当接して、内周空間と外周空間とを分離するように構成されることが好ましい。
【０００９】
また、フィルタエレメントが、内部空間が連通孔と連通して内周空間に突出し、側面にバルブ側開口が設けられた有底状のバルブケースと、このバルブケース内に上下に摺動自在に配設され、エレメント組立体がフィルタヘッドから取り外されているときに、第２弾性部材（例えば、実施形態におけるバルブバネ５９）により連通孔に付勢されてこの連通孔を塞ぐ弁体とからなるバルブを有し、内側円筒部の先端部の側面にエレメント組立体がフィルタヘッドに取り付けられたときに、バルブ側開口と位置整合するヘッド側開口が設けられ、エレメント組立体がフィルタヘッドに取り付けられたときに、内側円筒部により弁体が下方に押し下げられて、バルブ側開口とヘッド側開口が連通して内側通路と内周空間とを連通するように構成することが好ましい。
【００１０】
さらに、外側通路及び内側通路に、所定の圧力がかかったときに開放される流入弁及び流出弁を設けることが好ましい。
【００１１】
なお、このようなスピンオンフィルタは、ケースが、上端部が開口し下端部が閉塞したほぼ円筒状のケース本体と、このケース本体に上端開口を覆って取り付けられるカバー部材とから構成され、エレメント組立体がフィルタヘッドから取り外されたときに、カバー部材の下端部にフィルタエレメントの上端部が付勢して外周空間と開口部とが分離されるように構成することが好ましい。
【発明の効果】
【００１２】
本発明に係るスピンオンフィルタを以上のように構成すると、エレメント組立体がフィルタヘッドに取り付けられると、内側円筒部によりフィルタエレメントが下方に押されて、ケースの開口部（カバー部材）と離れるため、ケース内の外周空間とフィルタヘッドの外側通路を繋ぐ十分な空間が形成されてフィルタとして機能させることができる。また、この空間により、このスピンオンフィルタに流入する流体の圧力損失を小さくすることができる。また、エレメント組立体をフィルタヘッドから取り外すと、フィルタエレメントがケースの開口部（カバー部材）に当接して、開口部と外周空間とが分離されるため、取り外されたエレメント組立体から外周空間に残った流体が、この外周空間から開口部を通って直接外部に流出することを防ぐことができる。
【００１３】
さらに、フィルタエレメントの連通孔にバルブを設けることにより、フィルタヘッドからエレメント組立体が取り外されたときにこの連通孔が塞がれて、内周空間に残った流体が外部に流出することも防ぐことができる。このとき、フィルタヘッドの外側通路と内側通路にも流入弁及び流出弁を設けることにより、フィルタヘッドからエレメント組立体を取り外したときに、外側通路及び内側通路から流体が流出することも防止することができる。
【発明を実施するための最良の形態】
【００１４】
以下、本発明の好ましい実施形態について図面を参照して説明する。このスピンオンフィルタ（以下「フィルタ１」と称する）は、図１に示すように、フィルタヘッド２と、このフィルタヘッド２に着脱自在にネジ係合されて取り付けられたエレメント組立体３とから構成される。フィルタヘッド２は、例えば、油圧装置等に固定されており、必要に応じてエレメント組立体３がフィルタヘッド２から取り外されて新しいエレメント組立体３と交換されるようになっている。以下に、具体的な構成について説明する。
【実施例１】
【００１５】
まず、図１〜図３を用いて第１実施例に係るフィルタ１について説明する。フィルタ１は、フィルタヘッド２とこのフィルタヘッド２に着脱自在に取り付けられるエレメント組立体３とから構成されている。フィルタヘッド２の下面には、下方に突出し、２重円筒状に形成された外側円筒部５と内側円筒部６とを有している。このため、外側円筒部５の内周面と内側円筒部６の外周面との間には上下に延びる断面リング状の外側通路７が形成され、この外側通路７の上部はフィルタ１の外部に連通する流入孔８に連通し、下部は開放されている。また、内側円筒部６の内周面に囲まれて上下に延びる円筒状の内側通路９が形成されており、上部においてフィルタ１の外部に連通する流出孔１０に連通し、下部は開放されている。
【００１６】
なお、内側円筒部６は基端部６ａとその下方に延び基端部６ａよりも径の小さい先端部６ｂとから構成されている。また、内側円筒部６の方が外側円筒部５より下方の突出量が多くなるように形成されている。この内側円筒部６の基端部６ａの下面（基端部６ａと先端部６ｂとの段部）には後述するフィルタエレメント５０と当接して上方への移動を規制するフィルタ係合部６ｃが形成されている。さらに、外側円筒部５の外周面には雄ネジ部５ａが形成されている。なお、外側円筒部５の外周側に位置するフィルタヘッド２の下面には、フィルタヘッド２にエレメント組立体３が取り付けられたときに、後述する第１シールリング３８が当接する第１シール面１１が形成されている。
【００１７】
一方、エレメント組立体３は、ケース３０と、このケース３０内に挿入保持されたフィルタエレメント５０とから構成される。なお、ケース３０は、上端部３２が開口し、下端部３３が閉塞された円筒状のケース本体３１と、このケース本体３１の上端開口を覆って取り付けられたカバー部材３４と、このカバー部材３４を上方から覆うように取り付けられ、カバー部材３４をケース本体３１に固定するリング状のカバー固定部材３５とから構成される。このカバー部材３４とカバー固定部材３５とは例えばスポット溶接により結合されている。また、図１に示す通り、カバー固定部材３５とケース本体３１とはその先端部が一体に外周方向に折り曲げられて結合されている。なお、このカバー固定部材３５にはケース３０の開口部を囲むようにリング状の第１シール取付溝３７が形成されており、この第１シール取付溝３７にリング状の第１シールリング３８が、ケース本体３１の上端部よりも上方に突出して保持される。
【００１８】
カバー部材３４は、リング状の円板部３４ａとこの円板部３４ａの内周から下方に延びる円筒状の結合部３４ｂとから構成されており、この結合部３４ｂの内周面に囲まれて上下に貫通する貫通空間３６が形成されている。また、この結合部３４ｂの内周面には、フィルタヘッド２の雄ネジ部５ａと螺合する雌ネジ部３４ｃが形成されている。このため、この雌ネジ部３４ｃを外側円筒部５の雄ネジ部５ａと螺合するさせるようにして、エレメント組立体３を回転させながらフィルタヘッド２に取り付ける（スピンオンする）ことができる。
【００１９】
フィルタエレメント５０は、蛇腹状に折り畳まれた濾材の端部を接合して断面が菊花状で外形がほぼ円筒状となるようにした濾材５４を、円板状の上エンドプレート５１、下エンドプレート５２で挟持し、内周部を円筒状のセンターチューブ５３により支持して構成される。センターチューブ５３は多数の小孔５３ａを有したパンチシート等から作られており、濾材５４を通過して濾過された作動油がこの小孔５３ａを通過して、その内部空間である内周空間７２内に流入するように構成されている。
【００２０】
ケース３０の底部には圧縮コイルバネ６５が配設されており、この圧縮コイルバネ６５によりフィルタエレメント５０が上方に押されている。このため、フィルタエレメント５０の上端面（上エンドプレート５１の上面５１ａ）が、カバー部材３４の下端部（結合部３４ｂの下端部）に付勢し、この状態でフィルタエレメント５０がこのケース３０内に保持される。このようにフィルタエレメント５０が保持されると、上エンドプレート５１により、ケース本体３１の内周面とフィルタエレメント５０の外周面とに囲まれた外周空間７１とカバー部材３４に形成された貫通空間３６が分離される。
【００２１】
フィルタエレメント５０の上エンドプレート５１にはその中央部に、カバー部材３４を構成する結合部３４ｂの内径よりは径が小さく、且つ、内側円筒部６を構成する先端部６ｂの外径とほぼ同じ大きさの内径で上下に貫通する円筒状の連通孔５１ｂが形成されており、上記のようにフィルタエレメント５０がケース３０内に保持された状態で、この連通孔５１ｂはカバー部材３４の結合部３４ｂ（貫通空間３６）と対向する。このため、エレメント組立体３がフィルタヘッド２に取り付けられる前の状態（単体の状態）では、センターチューブ５３内の内周空間７２はこの連通孔５１ｂを介して貫通空間３６と連通する。なお、上エンドプレート５１の上面５１ａには、連通孔５１ｂを囲むように第２シールリング５５が、上エンドプレート５１の上面５１ａに取り付けられたシール保持部材５６とこの上エンドプレート５１により挟持されている。なお、シール保持部材５６には連通孔５１ｂの内径とほぼ同じ大きさの径を有する開口部が設けられており、平面視において連通孔５１ｂと位置整合している。また、第２シールリング５５の内径は連通孔５１ｂの内径よりもやや小さく形成されおり、平面視において第２シールリング５５は連通孔５１ｂよりも内側に突出して保持されている。
【００２２】
このように構成されたエレメント組立体３をフィルタヘッド２に取り付けるために、このフィルタヘッド２の下方に配置すると、図２に示すように、雄ネジ部５ａの下端と雌ネジ部３４ｃの上端が当接し、また、内側円筒部６の先端部６ｂが上エンドプレート５１の連通孔５１ｂに挿入されて嵌合し、シール保持部材５６の上端と内側円筒部６のフィルタ係合部６ｃが当接する。このときも、図２から明らかなように、貫通空間３６と外周空間７１は、カバー部材３４と上エンドプレート５１とが当接して分離されている。
【００２３】
そして、雄ネジ部５ａと雌ネジ部３４ｃを螺合させるようにして、エレメント組立体３を回転させながらフィルタヘッド２に取り付けると、図３に示すように、フィルタヘッド２の下部（外側円筒部５及び内側円筒部６）がカバー部材３４の貫通空間３６に螺挿されてケース３０はフィルタヘッド２に対して上方に移動するが、フィルタエレメント５０はフィルタ係合部６ｃにより上方への移動が規制されるため、圧縮コイルバネ６５を圧縮してケース３０に対して下方に移動する。そのため、カバー部材３４の下端と上エンドプレート５１が離れるため、その間に流入空間７３が形成される。この流入空間７３を介して、貫通空間３６に螺挿された外側円筒部５の外側通路７が外周空間７１と連通する。一方、連通孔５１ｂに挿入された内側円筒部６の内側通路９は内周空間７２に連通する。このとき、第２シールリング５５が内側円筒部６（先端部６ｂ）の外周面に当接するため流入空間７３（外周空間７１）と内周空間７２はシールされる。また、第１シールリング３８の上面が第１シール面１１と当接するため、このフィルタ１の外部に対して流入空間７３（外周空間７１）はシールされる。
【００２４】
以上のように構成されたフィルタ１による作動油の濾過について図３を用いて簡単に説明する。オイルポンプ等から吐出された濾過対象となる作動油は、矢印ＩＮで示すように、流入孔８から外側通路７に送り込まれ、流入空間７３を通って外周空間７１に流入する。そして、外周空間７１に流入した作動油はフィルタエレメント５０の濾材５４を通過しこの作動油に含まれる固形物等が捕捉されて濾過され、センターチューブ５３の小孔５３ａを通って内周空間７２に流入する。内周空間７２に流入した作動油は清浄な状態となっており、内側通路９を通って流出孔１０から矢印ＯＵＴに示すように外部に流出する。このように、エレメント組立体３がフィルタヘッド２に取り付けられると、流入空間７３が形成されるため、外側通路７と外周空間７１との間に十分な空間ができるため、フィルタとして機能させることができる。また、この流入空間７１により、このフィルタ１に流入する流体に与える圧力損失を小さくすることができる。
【００２５】
なお、以上の実施例では、内周空間７２と流入空間７３とをシールするために、第２シールリング５５を、フィルタエレメント５０の内周空間７２に挿入される内側円筒部６の外周面に当接するように構成した場合を説明したが別の位置でシールすることも可能である。例えば、図４に示すように、上エンドプレート５１に、連通孔５１ｂを囲むように第２シール溝５１ｃを形成し、この第２シール溝５１ｃに上エンドプレート５１の上面５１ａより上方に突出するように第２シールリング５５′を配設するように構成することもできる。このように第２シールリング５５′を配設すると、図５に示すように、この第２シールリング５５′が内側円筒部６のフィルタ係合部６ｃに当接することとなり、内周空間７２と流入空間７３とをシールすることができる。
【００２６】
また、ケース本体３１とカバー部材３４との接合についても、図６に示すように、カバー部材３４の外周部に外側に円板状に突出する突出部３４ｄを形成し、また、その上部にリング状溝３９を形成し、ケース本体３１の上端開口内にこのカバー部材３４が挿入された後、ケース本体３１の上端部３２が内方にプレス形成されてリング状溝３９内に入り込むように構成することにより、カバー部材３４をケース本体３１の上端部にしっかりと結合させることができる。このとき、ケース本体３１とカバー部材３４の間から内部の作動油が流出しないように、突出部３４ｄの外周に第３シール溝３４ｅを形成して突出部３４ｄから外方に突出するにように第３シールリングリング４０が配設される。なお、フィルタヘッド２にエレメント組立体３が取り付けられたときにこのフィルタヘッド２とエレメント組立体３の間から外部に作動油が流出しないように配設される第１シールリング３８は、図６に示すように、カバー部材３４の上端側内周面（上述の説明で貫通空間３６を形成する部分に相当）に第１シール溝３４ｆを形成し、この第１シール溝３４ｆに貫通空間３６内に突出するように第１シールリング３８′を配設し、図７に示すように、外側円筒部５の外周面（雄ネジ部５ａの上部）に当接させてシールさせることも可能である。
【００２７】
以上のような構成によると、エレメント組立体３を交換するときに、このエレメント組立体３をフィルタヘッド２から取り外すと、コイルバネ３６の付勢力によりフィルタエレメント５０が上方に押し上げられて上部エンドプレート５１とカバー部材３４が当接し、外周空間７１にある作動油は貫通空間３６を通って外部に流れ出すことがなく、周囲を作動油で汚すことなく交換を行うことができる。
【００２８】
しかしながら、上記で説明した第１実施例に係るフィルタ１では、エレメント組立体３には内周空間７２にも作動油が満たされていることがあるため、連通孔５１ｂを通って貫通空間３６から外部に作動油が流出する可能性がある。このような課題を解決した第２実施例について次に説明する。
【実施例２】
【００２９】
図８〜図１０を用いて、第２実施例に係るフィルタ１００について説明する。なお、この図において、第１実施例と同様の機能を有する部分については同一の符号を付すこととし、その説明は省略する。第１実施例で説明したように外周空間７１にある作動油はカバー部材３４と上部エンドプレート５１が当接して外部に流出しないように構成されているため、この第２実施例ではフィルタエレメント５０の連通孔５１ｂにバルブ５７を設けてこの連通孔５１ｂから内周空間７２の作動油が流出しないように構成する。このバルブ５７は、図８に示すとおり、上部エンドプレート５１の下面に連通孔５１ｂを覆うように取り付けられた有底円筒状で碗型のバルブケース５７ａと、このバルブケース５７ａの内径と略同一形状でバルブケース５７ａ内を上下に摺動可能に配設された弁体５８と、弁体５８とバルブケース５７ａの底面との間に配設され、弁体５８を上方に押し上げるバルブバネ５９とから構成される。このバルブバネ５９により、弁体５８はバルブケース５７ａ内に位置する連通孔５１ｂの下端部に付勢し、上方への移動が規制され、連通孔５１ｂを塞いでいる。このバルブケース５７ａの下部側面（連通孔５１ｂの下端部に付勢した弁体５８より下方）には、図１０（Ａ）に示すように複数のバルブ側開口５７ｂが形成されており、弁体５８が下方に押し下げられたときに、内周空間７２と連通孔５１ｂを連通するように構成されている。
【００３０】
一方、フィルタヘッド２の内側円筒部６の先端部６ｂの側面にもヘッド側開口６ｄが形成されており、図９及び図１０（Ｂ）に示すように、フィルタヘッド２にエレメント組立体３が取り付けられたときに、連通孔５１ｂに挿入された内側円筒部６（先端部６ｂ）により弁体５８が下方に押し下げられ、ヘッド側開口６ｄとバルブ側開口５７ｂとが位置整合して内周空間７２と内側通路９とを連通するように構成されている。なお、フィルタヘッド２にエレメント組立体３が取り付けられたときに、ヘッド側開口６ｄとバルブ側開口５７ｂとが位置整合するように、例えば、内側円筒部６の側面に図示しないガイド溝等を設け、エレメント組立体３が取り付けられるときフィルタエレメント５０がガイド溝により回転してヘッド側開口６ｄとバルブ側開口５７ｂの位置が合うように構成される。
【００３１】
以上より、エレメント組立体３がフィルタヘッド２から取り外された状態では、連通孔５１ｂがバルブ５７の弁体５８により塞がれているため、内周空間７２内の作動油も外部に流出することがなく、このフィルタ１００の周囲を作動油で汚すことなくエレメント組立体３の交換作業等を行うことができる。
【００３２】
なお、以上のような構成により、エレメント組立体３からは作動油を流出しないようにすることができるが、フィルタヘッド２の外側通路７や内側通路９に残っている作動油は下方に流れ出し周囲を汚してしまうおそれがある。そのため、図８に示すように、所定の油圧がかかったときだけ開放するような弾性を有する流入弁１２及び流出弁１３をフィルタヘッド２の外側通路７及び内側通路９に設けることにより、このフィルタヘッド２からの作動油の流出も防止することができる。
【００３３】
以上のように、この第１実施例及び第２実施例に係るフィルタ１，１００によると、エレメント組立体３がフィルタヘッド２に取り付けられると、流入空間７３が形成されるため、外側通路７と外周空間７１との間に十分な空間（流入空間７３）ができるため、このフィルタ１，１００に流入する流体に与える圧力損失を小さくすることができる。さらに、フィルタヘッド２からエレメント組立体３が取り外されたときに、簡単な構成で内部に残留している作動油が外部に流出しないようにすることができるため、エレメント組立体３の交換作業等を容易に行うことができ、また、流出した作動油により周囲を汚すこともない。なお、以上の実施例においては、フィルタエレメント５０の外側（外周空間７１）から内側（内周空間７２）に向かって作動油を通過させることにより濾過するように構成した場合について説明したが、逆方向に流して濾過するように構成することも可能である。
【図面の簡単な説明】
【００３４】
【図１】第１実施例に係るスピンオンフィルタにおいて、フィルタヘッドからエレメント組立体を取り外した状態を示す図である。
【図２】第１実施例に係るスピンオンフィルタにおいて、フィルタヘッドにエレメント組立体を取り付ける途中の状態を示す図である。
【図３】第１実施例に係るスピンオンフィルタにおいて、フィルタヘッドにエレメント組立体を取り付けた状態を示す図である。
【図４】第２シールリングの別の形態を示す図であり、フィルタヘッドからエレメント組立体を取り外した状態を示す図である。
【図５】第２シールリングの別の形態を示す図であり、フィルタヘッドにエレメント組立体を取り付けた状態を示す図である。
【図６】カバー部材の別の形態を示す図であり、フィルタヘッドからエレメント組立体を取り外した状態を示す図である。
【図７】カバー部材の別の形態を示す図であり、フィルタヘッドにエレメント組立体を取り付けた状態を示す図である。
【図８】第２実施例に係るスピンオンフィルタにおいて、フィルタヘッドからエレメント組立体を取り外した状態を示す図である。
【図９】第２実施例に係るスピンオンフィルタにおいて、フィルタヘッドにエレメント組立体を取り付けた状態を示す図である。
【図１０】フィルタエレメントに設けられるバルブを示す図であり、（Ａ）は側面図であり、（Ｂ）はフィルタヘッドにエレメント組立体が取付けられた場合の断面図である。
【符号の説明】
【００３５】
１，１００  スピンオンフィルタ
２  フィルタヘッド
３  エレメント組立体
５  外側円筒部
５ａ  雄ネジ部
６  内側円筒部
７  外側通路
８  流入孔
９  内側通路
１０  流出孔
３０  ケース
３４  カバー部材
３４ｃ  雌ネジ部
３６  貫通空間
５０  フィルタエレメント
６５  圧縮コイルバネ
７１  外周空間
７２  内周空間
【図１】
2005254103.tif 000003
【図２】
2005254103.tif 000004
【図３】
2005254103.tif 000005
【図４】
2005254103.tif 000006
【図５】
2005254103.tif 000007
【図６】
2005254103.tif 000008
【図７】
2005254103.tif 000009
【図８】
2005254103.tif 000010
【図９】
2005254103.tif 000011
【図１０】
2005254103.tif 000012